(57)【特許請求の範囲】
【請求項１】
消毒の完了時に目に直接挿入するのに好適なコンタクトレンズを消毒および洗浄するための方法であって：
（１）コンタクトレンズを、０．５重量％〜６重量％の過酸化水素を含むレンズケア水溶液に、前記コンタクトレンズを消毒するのに十分な所定の浸漬時間にわたり浸漬する工程であって、前記レンズケア水溶液は０．３０重量％〜１．４重量％の１種以上の塩化物塩を含み、および６〜８のｐＨと、既知の任意の方法による前記溶液の２５℃での浸透圧重量モル濃度により測定した場合に１５０〜４００ｍＯｓｍ／ｋｇの張度とを有する、工程と；
（２）前記所定の浸漬時間後、塩素および／または次亜塩素酸塩を電解生成することなく、過酸化水素の濃度を２０ｐｐｍ未満に低減するために、前記コンタクトレンズを前記レンズケア水溶液中に浸漬した状態で、前記レンズケア水溶液中の前記過酸化水素を電気化学的に中和する工程であって、塩化物イオンが電極に接近して塩素および／または次亜塩素酸塩を生成することを防止するために、アノードであって、その上にイオン選択膜を有するアノードを使用することにより行われ、ΔｐＨとして示されるｐＨの変化が１．０以下となり、ΔｐＨ＝│ｐＨｏ−ｐＨｆ│（式中、ｐＨｏは前記レンズケア溶液の初期ｐＨであり、およびｐＨｆは過酸化水素を電気化学的に中和した後の前記レンズケア溶液の最終ｐＨである）である、工程と
を含む方法。
【請求項２】
前記アノードとカソードとの間のプロトンの移動を促進するために、前記アノードと前記カソードとが前記イオン選択膜により分離されている、請求項１に記載の方法。
【請求項３】
前記レンズケア水溶液の量が５ｍｌ〜１５ｍｌの範囲である、請求項１または２に記載の方法。
【請求項４】
前記レンズケア水溶液が、ポリオキシプロピレン−ポリオキシエチレン−ポリオキシプロピレンブロックコポリマー、ポリ（オキシエチレン）−ポリ（オキシブチレン）ブロックコポリマー、ポリ（オキシエチレン）−ポリ（オキシブチレン）ジブロックコポリマー、ポリ（オキシエチレン）−ポリ（オキシブチレン）−ポリ（オキシエチレン）トリブロックコポリマー、ポリ（オキシブチレン）−ポリ（オキシエチレン）−ポリ（オキシブチレン）トリブロックコポリマー、ビニルピロリドンのホモポリマー、ビニルピロリドンと８〜１５個の炭素原子を有する少なくとも１種のアミノ含有ビニルモノマーとのコポリマーからなる群から選択される少なくとも１種の要素を含む、請求項１〜３のいずれか一項に記載の方法。
【請求項５】
前記レンズケア水溶液が０．５重量％〜１．２重量％の塩化ナトリウムまたは塩化カリウムまたはその両方を含む、請求項１〜４のいずれか一項に記載の方法。
【請求項６】
前記レンズケア水溶液中の前記過酸化水素を電気化学的に中和する前記工程が、過酸化水素系レンズケア溶液を保持するための容器と；前記過酸化水素系レンズケア溶液中の過酸化水素を電気化学的に中和するための１対の電極と；最適な消毒および洗浄効果が得られるように、前記電極の電極極性および電位ならびに過酸化水素を電気化学的に中和するタイミングおよび持続時間を自動的に制御するために前記電極と電源とに操作可能に接続されている制御装置とを備えるレンズケア装置内で行われ、前記容器が、縁部によって囲まれた開口部を通してアクセス可能な内部チャンバを画定し、かつ前記過酸化水素系レンズケア溶液を受け入れるための容器カップと、前記開口部を覆うために前記容器カップ上に取り外し可能に取り付けられるキャップと、前記容器カップ内の前記過酸化水素系レンズケア溶液に浸漬される前記コンタクトレンズを保持するためのレンズホルダとを備え、前記電極が前記内部チャンバ内に配置され、かつ使用時に前記過酸化水素系レンズケア溶液に浸漬される、請求項１〜５のいずれか一項に記載の方法。
【請求項７】
前記レンズホルダが、消毒および洗浄される前記コンタクトレンズを受け入れるために開放し、かつ処理中に前記レンズを保持するために閉鎖する１つ以上の閉鎖可能なバスケットを備え、前記電極は、塩化物イオンが前記電極に接近して塩素および次亜塩素酸塩を含む望ましくない電解生成物を生成することを防止するために、その上にイオン選択膜を備え、および／または前記制御装置は、前記電極を前記電源と操作可能に接続するための手段と、前記電極の前記電極極性および電位ならびに前記電気化学的中和プロセスの前記タイミングおよび持続時間を自動的に制御するためのマイクロプロセッサまたは組み込みシステムとを備える、請求項６に記載の方法。
【請求項８】
前記制御装置が、ＡＣ−ＤＣ変換器またはＤＣ電池、自動スイッチ機構、インジケータ手段、またはこれらの組み合わせも含む、請求項６または７に記載の方法。
【請求項９】
コンタクトレンズを消毒および洗浄するためのレンズケア装置であって、
過酸化水素系レンズケア溶液であって、６〜８のｐＨを有し、および０．３０重量％〜１．４重量％の１種以上の塩化物塩を含み、かつ前記溶液の２５℃での浸透圧重量モル濃度により測定した場合に１５０〜４００ｍＯｓｍ／ｋｇの張度を有する、過酸化水素系レンズケア溶液を保持するための容器と；
前記過酸化水素系レンズケア溶液中の過酸化水素を電気化学的に中和するための１対の電極であって、１つのカソードと、１つのアノードであって、塩化物イオンが前記電極に接近して塩素および／または次亜塩素酸塩を生成することを防止し、かつΔｐＨとして示される電解により誘導されたｐＨの変化が確実に１．０以下となるように、その上にイオン選択膜を有する１つのアノードとからなり、ΔｐＨ＝│ｐＨｏ−ｐＨｆ│（式中、ｐＨｏは前記レンズケア溶液の初期ｐＨであり、およびｐＨｆは過酸化水素を電気化学的に中和した後の前記レンズケア溶液の最終ｐＨである）である、１対の電極と；
最適な消毒および洗浄効果が得られるように、前記電極の前記電極極性および電位ならびに過酸化水素を電気化学的に中和する前記タイミングおよび持続時間を自動的に制御するために前記電極と電源とに操作可能に接続される制御装置と
を備え、
前記容器が、縁部によって囲まれた開口部を通してアクセス可能な内部チャンバを画定し、かつ前記過酸化水素系レンズケア溶液を受け入れるための容器カップと、前記開口部を覆うために前記容器カップ上に取り外し可能に取り付けられるキャップと、前記容器カップ内の前記過酸化水素系レンズケア溶液に浸漬される前記コンタクトレンズを保持するためのレンズホルダとを備え、前記電極が前記内部チャンバ内に配置され、かつ使用時に前記過酸化水素系レンズケア溶液に浸漬される、レンズケア装置。
【請求項１０】
前記レンズホルダが、消毒および洗浄される前記コンタクトレンズを受け入れるために開放し、かつ処理中に前記レンズを保持するために閉鎖する１つ以上の閉鎖可能なバスケットを備える、請求項９に記載のレンズケア装置。
【請求項１１】
前記制御装置が、前記電極を前記電源と操作可能に接続するための手段と、前記電極の電極極性および電位ならびに前記電気化学的中和プロセスの前記タイミングおよび持続時間を自動的に制御するためのマイクロプロセッサまたは組み込みシステムとを備える、請求項９または１０に記載のレンズケア装置。
【請求項１２】
前記制御装置が、ＡＣ−ＤＣ変換器またはＤＣ電池、自動スイッチ機構、インジケータ手段、またはこれらの組み合わせを備える、請求項１０または１１に記載のレンズケア装置。
【発明の詳細な説明】
【技術分野】
【０００１】
本発明は、概して、コンタクトレンズを消毒するためのレンズケアシステムおよび方法に関する。
【背景技術】
【０００２】
アカントアメーバ（Ａｃａｎｔｈａｍｏｅｂａ）は大部分の土壌生息域および水生息域に最もよく見られるアメーバの１属であり、乾燥、−２０〜５６℃の温度変動、および作用濃度の大部分の消毒剤に対して耐性がある代謝不活性な嚢子を形成することができる。それは、有痛性で失明の可能性がある角膜感染症であるアカントアメーバ角膜炎を引き起こすおそれがある。アカントアメーバ角膜炎は、角膜の外傷、ならびにレンズケアおよび衛生状態の不良の結果としてのコンタクトレンズ摩耗と関連付けられることが多い。
【０００３】
過酸化水素系レンズケア溶液は、３％の濃度において少なくとも４〜６時間の曝露時間で使用すると、耐性嚢子の形態のアカントアメーバに対して有効となり得ることが報告された。Ｓ．Ｐ．Ｊｏｈｎｓｔｏｎ  ｅｔ  ａｌ．，“Ｒｅｓｉｓｔａｎｃｅ  ｏｆ  Ａｃａｎｔｈａｍｏｅｂａ  ｃｙｓｔｓ  ｔｏ  ｄｉｓｉｎｆｅｃｔｉｏｎ  ｉｎ  ｍｕｌｔｉｐｌｅ  ｃｏｎｔａｃｔ  ｌｅｎｓ  ｓｏｌｕｔｉｏｎｓ，”Ｊｏｕｒｎａｌ  ｏｆ  ｃｌｉｎｉｃａｌ  ｍｉｃｒｏｂｉｏｌｏｇｙ，ｖｏｌ．４７，ｎｏ．７，ｐｐ．２０４０−５，Ｊｕｌ．（２００９）；Ｒ．Ｈｕｇｈｅｓ＆Ｓ．Ｋｉｌｖｉｎｇｔｏｎ，“Ｃｏｍｐａｒｉｓｏｎ  ｏｆ  Ｈｙｄｒｏｇｅｎ  Ｐｅｒｏｘｉｄｅ  Ｃｏｎｔａｃｔ  Ｌｅｎｓ  Ｄｉｓｉｎｆｅｃｔｉｏｎ  Ｓｙｓｔｅｍｓ  ａｎｄ  Ｓｏｌｕｔｉｏｎｓ  ａｇａｉｎｓｔ  Ａｃａｎｔｈａｍｏｅｂａ  ｐｏｌｙｐｈａｇａ，”Ａｎｔｉｍｉｃｒｏｂｉａｌ  Ａｇｅｎｔｓ  ａｎｄ  Ｃｈｅｍｏｔｈｅｒａｐｙ，ｖｏｌ．４５，ｎｏ．７，ｐｐ．２０３８−２０４３，Ｊｕｌｙ  ２００１を参照されたい。しかし、これらのレンズケアシステム中の過酸化水素は角膜に対して毒性があるため、患者が安全に装用するには中和されなければならない。過酸化水素は通常、消毒プロセス中（即ち、白金被覆されたディスクまたは可溶性カタラーゼ錠剤の使用を含む一工程）またはその後（即ち、指定された消毒時間後、カタラーゼまたは還元剤を添加することを含む二工程）、例えば、特許および公開された特許出願である米国特許第４５８５４８８号明細書、米国特許第４７４８９９２号明細書、米国特許第４８９９９１４号明細書、米国特許第５０１１６６１号明細書、米国特許第６４４０４１１号明細書、米国特許第５０８９２４０号明細書、米国特許第５１９６１７４号明細書、米国特許第５２７５７８４号明細書、米国特許第５４６８４４８号明細書、米国特許第５５５８８４６号明細書、米国特許第５６０９２６４号明細書、米国特許第５６０９８３７号明細書、米国特許第５９５８３５１号明細書、米国特許第６９４５３８９号明細書、米国特許第４８１２１７３号明細書、米国特許第４８８９６８９号明細書、米国特許第５５２３０１２号明細書、米国特許第５５７６０２８号明細書、米国特許第５８０７５８５号明細書、米国特許第５４６２７１３号明細書、米国特許第５５９１３９７号明細書、米国特許第５３１２５８６号明細書、米国特許出願公開第２０１１／０１１４５１７号明細書、および欧州特許第０１２４４６１号明細書（それらの内容全体が参照により本明細書に援用される）に記載のように、触媒を添加することにより中和される。ＨｕｇｈｅｓおよびＫｉｌｖｉｎｇｔｏｎの研究から、市販の過酸化水素系の一工程レンズケアシステムは、研究中、曝露時間が十分でないためアカントアメーバ種の嚢子に対する活性が低いかまたは活性がないが、市販の二工程システムは、４時間暴露した後、少なくとも９９．９％殺傷できることが分かった。しかし、二工程システムの使用に関する欠点の１つは、患者が不注意により過酸化水素を中和し損なうか、またはシステムからレンズを尚早に取り出すおそれがあり、それにより目に入る過酸化水素によって引き起こされる痛みおよび外傷が���こることである。
【０００４】
国際公開第２０１３０５６１６５号パンフレットは、二工程過酸化水素システムとして機能する複合的なレンズ洗浄システムを記載しているが、使用者にとって、それは一工程システムとして機能する。国際公開第２０１３０５６１６５号パンフレットのシステムは、過酸化水素溶液を保持するためのリザーバと、密閉されたリザーバ環境を確保するようにリザーバに連結され、第１のセグメントと第２のセグメントとを有する複合的な基部と、リザーバ内にレンズを配置するように構成され、リザーバに解放可能に連結し、第１のセグメントに連結するレンズホルダアセンブリと、第２のセグメントに連結し、過酸化水素溶液に触媒を選択的に導入するように構成された駆動機構とを備える。
【０００５】
米国特許第４８３６８５９号明細書は、残存する過酸化水素を電気化学的に分解し、除去することを含む、過酸化水素でコンタクトレンズを処理する方法を記載している。しかし、この特許は、過酸化水素溶液の電気分解に関連する問題、例えば、ｐＨ変化、過酸化水素溶液の電気分解の副生成物（例えば、塩素、次亜塩素酸塩等）等に対処することができない。
【０００６】
米国特許第５２２５０５５号明細書は、コンタクトレンズの電気化学的洗浄および消毒を行うのに使用される水溶液を記載しており、その溶液は、過酸化水素、塩化ナトリウム（第１のイオン化可能な塩として）と周期表第ＩＡ族または第ＩＩＡ族の金属を含む第２のイオン化可能な塩とのブレンドを含む。
【０００７】
米国特許第５３０２３４５号明細書は、過酸化水素などの防腐剤、酵素および石鹸を任意選択的に含んでもよい電解質溶液中でコンタクトレンズ、眼圧計および他の酸化し難い物体を洗浄および滅菌するためにスーパーオキサイドおよび他のフリーラジカルを発生させ、電気分解を使用して過酸化物を分解し、酵素および石鹸を中和し、滅菌するフリーラジカルを発生させることにより上記薬剤を中和する方法および装置を記載している。しかし、この特許は酵素および石鹸を中和し、レンズを滅菌するために発生させた残りのフリーラジカルに対処しない。
【発明の概要】
【発明が解決しようとする課題】
【０００８】
従って、アカントアメオバ（Ａｃａｎｔｈａｍｅｏｂａ）を含む広範囲の生物に対する微生物効果を有し得る簡単なレンズケアシステムが依然として必要とされている。
【課題を解決するための手段】
【０００９】
一般的には、本発明は、アカントアメーバを含む広範囲の生物に対して有効となり得る、コンタクトレンズを消毒するための方法およびレンズケアシステムに関する。
【００１０】
本発明は、一態様では、消毒の完了時に目に直接挿入するのに好適なコンタクトレンズを消毒および洗浄するための方法を提供する。本発明の方法は：（１）コンタクトレンズを、約０．５重量％〜約６重量％（好ましくは約２重量％〜約６重量％、より好ましくは約３重量％〜約４重量％）の過酸化水素を含むレンズケア水溶液に、コンタクトレンズを消毒するのに十分な所定の浸漬時間（好ましくは少なくとも約１時間、より好ましくは約２時間〜約６時間、さらにより好ましくは約３時間〜約５時間）にわたり浸漬する工程であって、レンズケア水溶液が約０．３０重量％〜約１．４重量％（好ましくは約０．５重量％〜約１．２重量％、より好ましくは約１．０重量％〜）の１種以上の塩化物塩（例えば、塩化ナトリウム、塩化カリウム、またはその両方）を含み、および約６〜約８（好ましくは約６．５〜約７．５、より好ましくは約６．８〜約７．２）のｐＨと、既知の任意の方法による溶液の２５℃での浸透圧重量モル濃度により測定した場合に約１５０〜約４００ｍＯｓｍ／ｋｇ（好ましくは約２００〜約３５０ｍＯｓｍ／ｋｇ、より好ましくは約２５０〜約３５０ｍＯｓｍ／ｋｇ）の張度とを有する、工程と；（２）所定の浸漬時間後、塩素および／または次亜塩素酸塩を電解生成することなく、過酸化水素の濃度を２０ｐｐｍ未満（好ましくは約１０ｐｐｍ以下、より好ましくは約５ｐｐｍ以下、さらにより好ましくは約１ｐｐｍ以下）に低減するために、コンタクトレンズをレンズケア水溶液中に浸漬した状態で、レンズケア水溶液中の前記過酸化水素を電気化学的に中和する工程であって、塩化物イオンが電極に接近して塩素および／または次亜塩素酸塩を生成することを防止するために、アノードであって、その上にイオン選択膜（ＩＳＭ）を有するアノードを使用することにより行われ、約１．０より大きい（好ましくは約０．５より大きい）レンズケア水溶液のｐＨの変化（即ち、ΔｐＨ＝│ｐＨｏ−ｐＨｆ│（式中、ｐＨｏはレンズケア溶液の初期ｐＨであり、およびｐＨｆは過酸化水素を電気化学的に中和した後のレンズケア溶液の最終ｐＨである））を引き起こさない、工程とを含む。
【００１１】
別の態様では、本発明は、コンタクトレンズを消毒および洗浄するためのレンズケアシステム（即ち、装置）であって、過酸化水素系レンズケア溶液であって、約６〜約８（好ましくは約６．５〜約７．５、より好ましくは約６．８〜約７．２）のｐＨを有し、および約０．３０重量％〜約１．４重量％（好ましくは約０．５重量％〜約１．２重量％、より好ましくは約１．０重量％〜）の１種以上の塩化物塩（例えば、塩化ナトリウム、塩化カリウム、またはその両方）を含み、かつ既知の任意の方法による溶液の２５℃での浸透圧重量モル濃度により測定した場合に約１５０〜約４００ｍＯｓｍ／ｋｇ（好ましくは約２００〜約３５０ｍＯｓｍ／ｋｇ、より好ましくは約２５０〜約３５０ｍＯｓｍ／ｋｇ）の張度を有する、過酸化水素系レンズケア溶液を保持するための容器と；過酸化水素系レンズケア溶液中の過酸化水素を電気化学的に中和するための１対の電極であって、１つのカソードと、１つのアノードであって、塩化物イオンが電極に接近して塩素および／または次亜塩素酸塩を生成することを防止し、かつ電解によって起こるレンズケア水溶液のｐＨの変化（即ち、ΔｐＨ＝│ｐＨｏ−ｐＨｆ│（式中、ｐＨｏはレンズケア溶液の初期ｐＨであり、およびｐＨｆは過酸化水素を電気化学的に中和した後のレンズケア溶液の最終ｐＨである））が約１．０より大きく（好ましくは約０．５より大きく）ならないように、その上にイオン選択膜（ＩＳＭ）を有する１つのアノードとからなる１対の電極と；最適な消毒および洗浄効果が得られるように、電極の電極極性および電位ならびに過酸化水素を電気化学的に中和するタイミングおよび持続時間を自動的に制御するために電極と電源とに操作可能に接続される制御装置とを備え、容器が、縁部によって囲まれた開口部を通してアクセス可能な内部チャンバを画定し、かつ過酸化水素系レンズケア溶液を受け入れるための容器カップと、開口部を覆うために容器カップ上に取り外し可能に取り付けられるキャップと、容器カップ内の過酸化水素系レンズケア溶液に浸漬されるコンタクトレンズを保持するためのレンズホルダとを備え、電極が内部チャンバ内に配置され、かつ使用時に過酸化水素系レンズケア溶液に浸漬される、レンズケアシステムに関する。
【００１２】
本発明の前述のおよび他の態様、特徴および利点は、本明細書の図および詳細な説明を参照して理解され、添付の特許請求の範囲に特に指摘される様々な要素および組み合わせにより実現される。前述の概要と、以下の図面の簡単な説明および発明の詳細な説明とは共に、本発明の好ましい実施形態を例示し、説明するためのものであって、特許請求される本発明を限定するものではないことを理解されたい。
【図面の簡単な説明】
【００１３】
【図１】本発明の好ましい実施形態によるレンズケア装置の組立図である。
【図２】組み立てられた状態の図１のレンズケア装置の断面図である。
【図３】レンズ保持バスケットが開放状態で示されている、図１のレンズケア装置のコンタクトレンズホルダ部品の斜視図である。
【発明を実施するための形態】
【００１４】
他の定義がない限り、本明細書で使用する科学技術用語は全て、本発明が属する技術分野の当業者が一般的に理解しているのと同じ意味を有する。一般に、本明細書で使用する命名法および実験手順は周知であり、当該技術分野で一般的に使用されている。これらの手順には、当該技術分野で行われているものおよび様々な一般的参考文献に記載されているものなどの常法が用いられる。ある用語が単数形で記載されている場合、本発明者らはその用語の複数形も考えている。本明細書で使用する命名法および後述の実験手順は周知であり、当該技術分野で一般的に使用されている。また、特許請求の範囲を含む本明細書で使用する場合、その内容から明らかに他の意味に解釈されない限り、「１つの（ａ）」、「１つの（ａｎ）」、および「その（ｔｈｅ）」などの単数形の言及には複数形も含まれ、特定の数値の言及には少なくともその特定の数値が含まれる。本明細書で使用する「約」は、「約」と称される数が、記載される数±記載される数の１〜１０％を含むことを意味する。
【００１５】
本発明は、コンタクトレンズを消毒するための過酸化水素系レンズケアシステムに関する。従来技術で既知の過酸化水素系システムと異なり、本発明のレンズケアシステムは、塩素および／または次亜塩素酸塩を電解生成することなく、かつ過酸化水素系レンズケア溶液のｐＨを著しく変化させることなく、過酸化水素を電気化学的に中和することに依拠する。以下の電気分解半反応は過酸化水素水溶液中で起こり得る。
アノードでは、
Ｈ２Ｏ２→Ｏ２＋２Ｈ＋＋２ｅ−            （１）
２Ｃｌ−→Ｃｌ２＋２ｅ−                （２）
２Ｈ２Ｏ→Ｏ２＋４Ｈ＋＋４ｅ−          （３）
であり、カソードでは、
Ｈ２Ｏ２＋２Ｈ＋＋２ｅ−→２Ｈ２Ｏ        （４）
Ｈ２Ｏ２＋２ｅ−→２ＯＨ−                （５）
２Ｈ２Ｏ＋２ｅ−→２Ｈ２＋２ＯＨ−        （６）
である。
【００１６】
電気分解反応（２）を無くすかまたは最小限に抑えることにより、過酸化水素の電気分解中、過酸化水素溶液のｐＨを維持できる可能性がある（即ち、ｐＨの変化、ΔｐＨ＝│ｐＨｏ−ｐＨｆ│（式中、ｐＨｏは溶液の初期ｐＨであり、およびｐＨｆは過酸化水素を電気化学的に中和した後の溶液の最終ｐＨである））。さらに、過酸化水素を電気化学的に中和するときの望ましくない副生成物は角膜の健康状態に悪影響を及ぼす（例えば、眼部を損傷する）おそれがあるため、電気分解反応（２）を無くすまたは最小限に抑えることにより、塩素および次亜塩素酸塩を含む望ましくない副生成物の生成を無くすまたは最小限に抑えることもできる。
【００１７】
このシステムの利点の１つは、過酸化水素で、耐性のある嚢子の形態のアカントアメーバも殺傷するようにレンズを任意の所望の時間消毒した後、好都合にはそれを電気化学的に中和し得ることである。例えば、最初に濃過酸化物溶液（例えば、約３重量％）を使用してコンタクトレンズを所望の時間（例えば、約２時間以上）にわたり消毒することができる。この所望の消毒時間が完了した後、１対の電極（例えば、白金電極）に電流を印加することができ、それにより過酸化水素が電気化学的に中和されて水になる。
【００１８】
このシステムは簡単な電気化学に基づき、１対の電極と、電源と、電流を通電および遮断するための制御手段とを使用することにより実施し、制御することができるため、このシステムの別の利点はその簡単さ、高い制御性、実施し易さ、および比較的低いコストである。
【００１９】
本発明のレンズケアシステムは、ハード（ＰＭＭＡ）コンタクトレンズ、ソフト（親水性）コンタクトレンズ、および酸素透過性ハード（ＲＧＰ）コンタクトレンズを含む任意のコンタクトレンズの消毒に使用することができる。ソフトコンタクトレンズはハイドロゲルコンタクトレンズまたはシリコーンハイドロゲルコンタクトレンズである。
【００２０】
「ハイドロゲル」は、完全に水和するとき、水を少なくとも１０重量％吸収することができるポリマー材料を指す。一般的に、ハイドロゲル材料は、追加のモノマーおよび／またはマクロマーの存在下または非存在下で少なくとも１種の親水性モノマーを重合または共重合することにより得られる。
【００２１】
「シリコーンハイドロゲル」は、少なくとも１種のシリコーン含有ビニルモノマーまたは少なくとも１種のシリコーン含有マクロマーを含む重合性組成物を共重合することにより得られるハイドロゲルを指す。
【００２２】
本明細書で使用する「親水性」は、脂質と結合するよりも水と結合し易い材料またはその部分を表す。
【００２３】
本発明の目的では、「消毒」という用語は、アカントアメーバを含む実質的に全ての病原性微生物を生育不可能にすることを意味する。
【００２４】
本発明は、一態様では、消毒の完了時に目に直接挿入するのに好適なコンタクトレンズを消毒および洗浄するための方法を提供する。本発明の方法は：（１）コンタクトレンズを、約０．５重量％〜約６重量％（好ましくは約２重量％〜約６重量％、より好ましくは約３重量％〜約４重量％）の過酸化水素を含むレンズケア水溶液に、コンタクトレンズを消毒するのに十分な所定の浸漬時間（好ましくは少なくとも約１時間、より好ましくは約２時間〜約６時間、さらにより好ましくは約３時間〜約５時間）にわたり浸漬する工程であって、レンズケア水溶液は約０．３０重量％〜約１．４重量％（好ましくは約０．５重量％〜約１．２重量％、より好ましくは約０．８重量％〜約１．０重量％）の１種以上の塩化物塩（例えば、塩化ナトリウム、塩化カリウム、またはその両方）を含み、および約６〜約８（好ましくは約６．５〜約７．５、より好ましくは約６．８〜約７．２）のｐＨと、既知の任意の方法による溶液の２５℃での浸透圧重量モル濃度により測定した場合に約１５０〜約４００ｍＯｓｍ／ｋｇ（好ましくは約２００〜約３５０ｍＯｓｍ／ｋｇ、より好ましくは約２５０〜約３５０ｍＯｓｍ／ｋｇ）の張度とを有する、工程と；（２）所定の浸漬時間後、塩素および／または次亜塩素酸塩を電解生成することなく、過酸化水素の濃度を２０ｐｐｍ未満（好ましくは約１０ｐｐｍ以下、より好ましくは約５ｐｐｍ以下、さらにより好ましくは約１ｐｐｍ以下）に低減するために、コンタクトレンズをレンズケア水溶液中に浸漬した状態で、レンズケア水溶液中の前記過酸化水素を電気化学的に中和する工程であって、塩化物イオンが電極に接近して塩素および／または次亜塩素酸塩を生成することを防止するために、アノードであって、その上にイオン選択膜（ＩＳＭ）を有するアノードを使用することにより行われ、ΔｐＨとして示されるｐＨの変化が約１．０以下（好ましくは約０．５以下）となり、ΔｐＨ＝│ｐＨｏ−ｐＨｆ│（式中、ｐＨｏはレンズケア溶液の初期ｐＨであり、およびｐＨｆは過酸化水素を電気化学的に中和した後のレンズケア溶液の最終ｐＨである）である、工程とを含む。
【００２５】
等張化剤で水溶液の張度を調整する方法は当業者に周知である。塩化物塩（例えば、塩化ナトリウムおよび塩化カリウム）の他に、当業者に既知の他の好適な眼用に許容される等張化剤をレンズケア溶液の張度調整に使用することができる。他の等張化剤の好ましい例としては、硫酸ナトリウム、硫酸カリウム、グリセリン、プロピレングリコール、ポリエチレングリコール、ポリオ（ｐｏｌｉｏｓ）、マンニトール、ソルビトール、キシリトールおよびこれらの混合物が挙げられるが、これらに限定されるものではない。
【００２６】
本発明のレンズケア水溶液は、ｐＨが約６．０〜約８．０、好ましくは約６．５〜約７．５、より好ましくは約６．８〜約７．２の生理学的に許容される範囲内となるように配合される。本発明のレンズケア水溶液のｐＨは好ましくは、無機塩基または有機塩基、好ましくは塩基性酢酸塩、リン酸塩、ホウ酸塩、クエン酸塩、硝酸塩、硫酸塩、酒石酸塩、乳酸塩、炭酸塩、炭酸水素塩およびこれらの混合物、より好ましくは塩基性リン酸塩、ホウ酸塩、クエン酸塩、酒石酸塩、炭酸塩、炭酸水素塩およびこれらの混合物から選択される１種以上の緩衝剤を含む。通常、それは０．００１重量％〜２重量％、好ましくは０．０１重量％〜１重量％；最も好ましくは約０．０５重量％〜約０．３０重量％の量で存在する。緩衝能はｐＨの変化を最小限に抑えるように調整することもできる。
【００２７】
緩衝剤成分には好ましくは、１種以上のリン酸緩衝剤、例えば、一塩基性リン酸塩および二塩基性リン酸塩等の組み合わせが含まれる。特に有用なリン酸緩衝剤は、アルカリ金属および／またはアルカリ土類金属のリン酸塩から選択されるものである。好適なリン酸緩衝剤の例には、リン酸一水素ナトリウム（Ｎａ２ＨＰＯ４）、リン酸二水素ナトリウム（ＮａＨ２ＰＯ４）、およびリン酸二水素カリウム（ＫＨ２ＰＯ４）の１種以上が含まれる。
【００２８】
本発明により、レンズケア水溶液は好ましくはコンタクトレンズを洗浄するための界面活性剤をさらに含む。任意の好適な既知の界面活性剤を本発明に使用することができる。好適な界面活性剤の例としては、ポリエチレングリコールまたはポリエチレンオキサイドのホモポリマー、プロピレンオキサイドとエチレンオキサイドとのブロックコポリマーからなる非イオン性界面活性剤であるＢＡＳＦ  Ｃｏｒｐ．製のＰｌｕｒｏｎｉｃの商標名のポロキサマー（Ｐｌｕｒｏｎｉｃ（商標）およびＰｌｕｒｏｎｉｃ−Ｒ（商標））；エチレンジアミンと組み合わせたエチレンオキサイドとプロピレンオキサイドとのブロックコポリマー誘導体であるポロキサミン；ホルムアルデヒドおよびオキシランを有する４−（１，１，３，３−テトラメチルブチル）フェノールポリマーであるチロキサポール；ＴＲＩＴＯＮ（Ｕｎｉｏｎ  Ｃａｒｂｉｄｅ，Ｔａｒｒｙｔｏｗｎ，Ｎ．Ｙ．，ＵＳＡ）およびＩＧＥＰＡＬ（Ｒｈｏｎｅ−Ｐｏｕｌｅｎｃ，Ｃｒａｎｂｕｒｙ，Ｎ．Ｊ．，ＵＳＡ）の商標名で入手可能な様々な界面活性剤などのエトキシ化アルキルフェノール；ＴＷＥＥＮ（ＩＣＩ  Ａｍｅｒｉｃａｓ，Ｉｎｃ．，Ｗｉｌｍｉｎｇｔｏｎ，Ｄｅｌ．，ＵＳＡ．）の商標名で入手可能なポリソルベート界面活性剤を含むポリソルベート２０などのポリソルベート；ＰＬＡＮＴＡＲＥＮ（Ｈｅｎｋｅｌ  Ｃｏｒｐ．，Ｈｏｂｏｋｅｎ，Ｎ．Ｊ．，ＵＳＡ）の商標名で入手可能な製品などのアルキルグルコシドおよびポリグルコシド；ならびにＢＡＳＦからＣＲＥＭＡＰＨＯＲの商標名で市販されているポリエトキシ化ひまし油；ならびにこれらの組み合わせが挙げられるが、これらに限定されるものではない。
【００２９】
好ましい界面活性剤としては、ポリオキシプロピレン−ポリオキシエチレン−ポリオキシプロピレンブロックコポリマー、米国特許第８，３１８，１４４号明細書（参照によりその内容全体が本明細書に援用される）に開示されているポリ（オキシエチレン）−ポリ（オキシブチレン）ブロックコポリマー、ＰＬＵＲＯＮＩＣ（登録商標）界面活性剤の商標名でＢＡＳＦから市販されている材料などの特定のポロキサマー、およびこれらの組み合わせが挙げられる。ＰＬＵＲＯＮＩＣ（登録商標）界面活性剤の例としては：ＰＬＵＲＯＮＩＣ（登録商標）Ｌ４２、ＰＬＵＲＯＮＩＣ（登録商標）Ｌ４３、およびＰＬＵＲＯＮＩＣ（登録商標）Ｌ６１が挙げられる。ＰＬＵＲＯＮＩＣ（登録商標）Ｒ界面活性剤の例としては：ＰＬＵＲＯＮＩＣ（登録商標）３１Ｒ１、ＰＬＵＲＯＮＩＣ（登録商標）３１Ｒ２、ＰＬＵＲＯＮＩＣ（登録商標）２５Ｒ１、ＰＬＵＲＯＮＩＣ（登録商標）１７Ｒ１、ＰＬＵＲＯＮＩＣ（登録商標）１７Ｒ２、ＰＬＵＲＯＮＩＣ（登録商標）１２Ｒ３、ＰＬＵＲＯＮＩＣ（登録商標）１７Ｒ４、ＰＬＵＲＯＮＩＣ（登録商標）Ｆ−６８ＮＦ、ＰＬＵＲＯＮＩＣ（登録商標）Ｆ６８ＬＦ、およびＰＬＵＲＯＮＩＣ（登録商標）Ｆ１２７が挙げられる。ポリ（オキシエチレン）−ポリ（オキシブチレン）ブロックコポリマーの例としては、ＰＥＯ−ＰＢＯ（即ち、ポリオキシエチレン−ポリオキシブチレン）として示されるジブロックコポリマー、ＰＥＯ−ＰＢＯ−ＰＥＯもしくはＰＢＯ−ＰＥＯ−ＰＢＯとして表されるトリブロックコポリマー、または他のブロック型配置が挙げられる。存在する場合、界面活性剤は、レンズケア水溶液の総量に基づいて約０．００５重量％〜約１重量％、好ましくは約０．０１重量％〜約０．５重量％、より好ましくは約０．０２重量％〜約０．２５重量％、さらにより好ましくは約０．０４重量％〜約０．１重量％の濃度で使用することができる。
【００３０】
好ましい実施形態では、本発明のレンズケア水溶液は、ポリオキシプロピレン−ポリオキシエチレン−ポリオキシプロピレンブロックコポリマーをレンズケア水溶液の総量に基づいて約０．００５重量％〜約１重量％、好ましくは約０．０１重量％〜約０．５重量％、より好ましくは約０．０２重量％〜約０．２５重量％、さらにより好ましくは約０．０４重量％〜約０．１重量％の量でさらに含む。
【００３１】
別の好ましい実施形態では、本発明のレンズケア水溶液は、ポリ（オキシエチレン）−ポリ（オキシブチレン）ブロックコポリマーをレンズケア水溶液の総量に基づいて約０．００５重量％〜約１重量％、好ましくは約０．０１重量％〜約０．５重量％、より好ましくは約０．０２重量％〜約０．２５重量％、さらにより好ましくは約０．０４重量％〜約０．１重量％の量でさらに含む。
【００３２】
本願で使用する場合、ポリ（オキシエチレン）−ポリ（オキシブチレン）ブロックコポリマーは、ＰＥＯ−ＰＢＯとして示されるジブロックコポリマーであっても、ＰＥＯ−ＰＢＯ−ＰＥＯもしくはＰＢＯ−ＰＥＯ−ＰＢＯとして表されるトリブロックコポリマーであっても、または他のブロック型配置の形態であってもよい。
【００３３】
この好ましい実施形態により、本発明に使用されるポリ（オキシエチレン）−ポリ（オキシブチレン）ブロックコポリマーの重量平均分子量は、約４００〜約１２００ダルトンの範囲；より好ましくは約７００〜約９００ダルトンの範囲である。
【００３４】
別の好ましい実施形態では、本発明のレンズケア水溶液は、ビニルピロリドンのホモポリマーまたはコポリマーをレンズケア水溶液の総量に基づいて約０．０２重量％〜約５重量％、好ましくは０．１〜３重量％；より好ましくは約０．５重量％〜約２重量％、最も好ましくは約０．２５重量％〜約１．５重量％の量でさらに含む。
【００３５】
本発明のこの好ましい実施形態により、ビニルピロリドンと少なくとも１種の親水性モノマーとの任意のコポリマーを本発明に使用することができる。好ましい種類のコポリマーは、ビニロイロリドンと少なくとも１種のアミノ含有ビニルモノマーとのコポリマーである。アミノ含有ビニルモノマーの例としては、８〜１５個の炭素原子を有するアルキルアミノアルキルメタクリレート、７〜１５個の炭素原子を有するアルキルアミノアルキルアクリレート、８〜２０個の炭素原子を有するジアルキルアミノアルキルメタクリレート、７〜２０個の炭素原子を有するジアルキルアミノアルキルアクリレート、３〜１０個の炭素原子を有するＮ−ビニルアルキルアミドが挙げられるが、これらに限定されるものではない。好ましいＮ−ビニルアルキルアミドの例としては、Ｎ−ビニルホルムエイド、Ｎ−ビニルアセトアミド、Ｎ−ビニルイソプロピルアミド、およびＮ−ビニル−Ｎ−メチルアセトアミドが挙げられるが、これらに限定されるものではない。好ましいコポリマーの例としては、ビニルピロリドンとジメチルアミノエチルメタクリレートとのコポリマーが挙げられるが、これらに限定されるものではない。このような好ましいコポリマーは市販されており、例えば、ＩＳＰ製のコポリマー８４５およびコポリマー９３７がある。
【００３６】
本発明のレンズケア水溶液は過酸化水素安定剤を含有してもよい。好ましくは、安定剤は米国特許第４，８１２，１７３号明細書に開示されているジホスホン酸アルカノールである。最も好ましい安定剤は、ジエチレントリアミンペンタ（メチレンホスホン酸）またはその生理学的に適合性のある塩である。この化合物は、ＤＥＱＵＥＳＴ（登録商標）２０６０の名称でＳｏｌｕｔｉａにより製造されている。安定剤は好ましくは溶液中に、組成物の約０．００１〜約０．０３重量％、最も好ましくは溶液の約０．００６〜約０．０１２０重量％の量で存在する。コンタクトレンズ消毒システム中の過酸化水素の安定化は米国特許第４，８１２，１７３号明細書および米国特許第４，８８９，６８９号明細書にさらに詳細に記載されており、これらは両方とも参照により本明細書に援用される。
【００３７】
被滅菌物と適合性がある場合、必要に応じて、その他の一般的な安定剤をジエチレントリアミンペンタ（メチレンホスホン酸）と共に、またはその代わりに使用してもよい。一般的な安定剤には、コンタクトレンズ中に通常存在するポリマーと適合性のないものもあり（例えば、錫酸ナトリウム）、従って、その使用は錫酸塩安定剤により悪影響を受けないものに限定されなければならない。
【００３８】
本発明のレンズケア水溶液は好ましくは、その粘度が２５℃で約０．８センチポアズ〜約１５センチポアズ、好ましくは２５℃で約０．８センチポアズ〜約１０センチポアズ、より好ましくは２５℃で約０．８センチポアズ〜約１．１センチポアズとなるように配合される。１種以上の増粘剤を用いることにより水溶液の粘度を調整する方法は当業者に既知である。
【００３９】
本発明により、本発明のレンズケア水溶液はさらに、潤滑剤、コンディショニング剤／湿潤剤、キレート剤、消泡剤、殺微生物剤、保存剤、およびこれらの組み合わせからなる群から選択される１種以上の成分をレンズケア水溶液の総量に基づいて約０．００２重量％〜約０．５重量％、より好ましくは約０．００４重量％〜約０．１重量％、さらにより好ましくは約０．００５重量％〜約０．０５重量％含むことができる。
【００４０】
本発明のレンズケア溶液は好ましくは潤滑剤を含む。本明細書で使用する「潤滑剤」は、コンタクトレンズおよび／または目の表面濡れ性を向上させる、またはコンタクトレンズ表面の摩擦特性を低減することができる任意の化合物または物質を指す。潤滑剤の例としては、ムチン様物質および親水性ポリマーが挙げられるが、これらに限定されるものではない。
【００４１】
例示的なムチン様物質としては、ポリグリコール酸、ポリラクチド、コラーゲン、およびゼラチンが挙げられるが、これらに限定されるものではない。ムチン様物質はドライアイ症候群の軽減に使用することができる。ムチン様物質は好ましくは有効な量で存在する。
【００４２】
例示的な親水性ポリマーとしては、ポリビニルアルコール（ＰＶＡ）、ポリアミド、ポリイミド、ポリラクトン、ビニルラクタムのホモポリマー、１種以上の親水性ビニルコモノマーの存在下もしくは非存在下での少なくとも１種のビニルラクタムのコポリマー、アクリルアミドもしくはメタアクリルアミドのホモポリマー、アクリルアミドもしくはメタクリルアミドと１種以上の親水性ビニルモノマーとのコポリマー、これらの混合物が挙げられるが、これらに限定されるものではない。
【００４３】
本発明のレンズケア水溶液はまた、１種以上のコンディショニング剤／湿潤剤（例えば、ポリビニルアルコール、ポロキサマー、ポリビニルピロリドン、ヒドロキシプロピルセルロース、およびこれらの混合物）も含むことができる。
【００４４】
本発明のレンズケア水溶液は、有効量のキレート剤を含んでもよい（しかし、好ましくは含まない）。任意の好適な、好ましくは眼科用に許容されるキレート剤を本組成物に含んでもよいが、エチレンジアミン四酢酸（ＥＤＴＡ）、その塩およびこれらの混合物が特に有効である。ＥＤＴＡは低レベルで非刺激性のキレート剤であり、ＰＨＭＢと相乗作用して抗微生物効果を向上させることができる。ＥＤＴＡの典型的な量は、レンズケア水溶液の総量に基づいて約０．００２重量％〜約０．５重量％、より好ましくは約０．００４重量％〜約０．１重量％、さらにより好ましくは約０．００５重量％〜約０．０５重量％である。
【００４５】
本発明のレンズケア水溶液は、既知の方法で、特に、構成成分と水との通常の混合により、または構成成分を水に溶解することにより製造される。
【００４６】
コンタクトレンズ容器（容器カップと、容器カップ上に取り外し可能に取り付けられるキャップと、容器カップ内の過酸化水素溶液に浸漬されるコンタクトレンズを保持するためのレンズホルダとを備える）と、過酸化水素を中和するために過酸化水素溶液に浸漬される１対の電極とを備えるコンタクトレンズケア装置で１つ以上のコンタクトレンズを消毒することができる。レンズケアシステムに使用される容器は当該技術分野で既知であり、例は米国特許第４，０１１，９４１号明細書、米国特許第４，６３７，９１９号明細書、米国特許第４７５０，６１０号明細書、米国特許第４，９５６，１５６号明細書、米国特許第４，９６６，０２７号明細書、米国特許第５，０８９，２４０号明細書、米国特許第５，１９６１７４号明細書、米国特許第５，２５０，２６６号明細書、米国特許第５，２７５，７８４号明細書、米国特許第５，４６８，４４８号明細書、米国特許第５，５５８，８４６号明細書、米国特許第５，６０９，２６４号明細書、米国特許第５，６０９，８３７号明細書、米国特許第５，９５８，３５１号明細書、米国特許第６，９４５，３８９号明細書、米国特許第８，３２９，０９８号明細書および米国特許出願公開第２０１２／０１５２２８４Ａ１号明細書に記載されており、それらの開示内容全体が参照により本明細書に援用される。このようなレンズケアシステムに使用されるコンタクトレンズ容器は通常、洗浄されるコンタクトレンズを受け入れるために開放し、処理中にレンズを保持するために閉鎖する閉鎖可能なバスケットを備える。バスケットは通常コンタクトレンズホルダ部品の一部であり、それはさらにまたコンタクトレンズ容器のキャップに連結されてもよい。キャップを容器カップに被せる前に、容器カップに過酸化水素レンズケア溶液を充填レベルまで添加する。最後に、処理されるレンズを収容するコンタクトレンズホルダを容器カップ内の過酸化水素溶液に浸漬し、容器カップ上にキャップを螺嵌することにより容器を閉鎖する。容器カップ上にキャップを閉鎖すると水密シールが形成され、洗浄溶液の漏洩を防止することができる。コンタクトレンズは指定された洗浄および／または消毒プロセスを完了するのに十分な時間、溶液に浸漬された状態を維持することができる。洗浄溶液中の過酸化水素の分解により生じる酸素は通常、何らかの方法で、例えば、米国特許第４，０１１，９４１号明細書、米国特許第４，６３７，９１９号明細書、米国特許第４，７５０，６１０号明細書、米国特許第４，９５６，１５６号明細書、米国特許第４，９６６，０２７号明細書、米国特許第５，１９６，１７４号明細書、米国特許第５，２５０，２６６号明細書、米国特許第５，５５８，８４６号明細書、米国特許第５，６０９，２６４号明細書、米国特許第５，６０９，８３７号明細書、米国特許第５，９５８，３５１号明細書、米国特許第６，９４５，３８９号明細書、米国特許第８，３２９，０９８号明細書、および米国特許出願公開第２０１２／０１５２２８４号明細書（その内容全体が参照により本明細書に援用される）に開示されているものなどの既知の様々なガス排出機構の１つにより、容器から排出されなければならない。
【００４７】
互いに離間しているが、好ましくは互いにできるだけ接近している２つの電極（その上にＩＳＭを有するアノードおよびカソード）を収容するように、当該技術分野で既知の容器を変更することができる。１つの好ましい実施形態では、２つの電極間でのプロトンの移動が容易になるように、２つの電極（アノードおよびカソード）はＩＳＭによってのみ分離されている。電極は、一般的な不活性導電性材料、例えば、白金、グラファイト、パラジウム、アルミニウム、金、銀、ルテニウム、もしくはホウ素ドープダイヤモンド、または導電性ポリマーから構成される。好ましくは、過酸化水素の中和を促進するために、白金、銀、ルテニウム、またはホウ素ドープダイヤモンドなどの触媒電極が本発明に使用される。
【００４８】
本発明のコンタクトレンズケア装置はまた、電極と電源とに操作可能に接続された制御装置（手段）を備えてもよい。制御装置は、各電極の極性および各電極に印加される電位電圧の量の制御を可能にする。好ましくは制御装置は自動であり、所定のプログラムに従って電極の極性および電位電圧を制御する。好ましくは、制御装置はまた、最適な消毒および洗浄効果が得られるように、電極の電極極性および電位ならびに電気化学的中和プロセスのタイミングおよび持続時間を自動的に制御するための手段（例えば、当業者に既知のマイクロプロセッサおよび／または組み込みシステムなどの１つ以上の小型電子デバイス）も備える。制御装置は任意選択的に、パワーパック（ＡＣ−ＤＣ変換器または電池）、自動スイッチ機構、インジケータ手段等を含んでもよい。
【００４９】
レンズケア装置は、手動スイッチデバイスを用いて使用者により電源投入されるように設計されてもよい。あるいは、装置は、例えば、容器カップ上に容器キャップが閉鎖された（取り付けられた）とき、自動的に始動されてもよい。
【００５０】
図１および図２は、１つ以上のコンタクトレンズまたは他の眼科用もしくは医療用デバイスを洗浄、消毒および／または保存するのに好ましい装置１０を示す。レンズケア装置１０は一般的に、容器カップ２０と、容器カップ上に取り外し可能に取り付けられるキャップ５０と、レンズホルダ９０と、制御装置１００とを備える。図１は部品を部分的に分解した状態で示すが；図２は、コンタクトレンズＣがレンズホルダ９０内に保持され、液体レンズケア溶液Ｓ中に浸漬されており、電極対４５が制御装置１００に操作可能に接続され、液体レンズケア溶液Ｓ中に浸漬されている、例示的な使用方法で組み立てられた装置を示す。
【００５１】
容器カップ２０は略円筒状であり、底面パネル２２と、略円形の形状を有する管状の側壁２４とを有する。容器カップは、底面パネル２２の反対側にある上周縁部２６により囲まれた開放した上端部からアクセス可能な内部チャンバを画定する。使用者の把持を改善するために、側壁２４の外面に１つ以上の平坦部２８または他の表面特徴が任意選択的に設けられてもよい。
【００５２】
２つの電極４５が底面パネル２２上に設けられ、互いに離間するように互いに間隔を空けて配置されているが、好ましくは互いにできるだけ接近している。１つの好ましい実施形態では、２つの電極間でのプロトンの移動を促進するために、２つの電極４５はＩＳＭによってのみ分離されている。任意の一般的な不活性導電性材料、例えば、白金、グラファイト、パラジウム、アルミニウム、金、銀、ルテニウム、もしくはホウ素ドープダイヤモンド、または導電性ポリマーを電極４５の製造に使用することができる。好ましくは、過酸化水素の中和を促進するために、白金、銀、ルテニウム、またはホウ素ドープダイヤモンドなどの触媒電極が本発明に使用される。より好ましくは、電極４５は、塩化物イオンが電極に接近して塩素および次亜塩素酸塩などの望ましくない電解生成物を生成することを防止するために、その上にイオン選択膜（ＩＳＭ）を備える。Ｎａｆｉｏｎなどの負電荷を有するＩＳＭを本発明に使用することができる。電極４５と容器カップの底面パネル２２との間に液密シールが形成されなければならないことを理解されたい。
【００５３】
あるいは、２つの電極はレンズホルダ９０の底部に取り付けられ、レンズホルダ９０から下方に突出してもよい。
【００５４】
制御装置１００は、電極を電源（図示せず）と操作可能に接続するための手段（例えば、電子回路）（図示せず）と、電極の電極極性および電位ならびに電気化学的中和プロセスのタイミングおよび持続時間を自動的に制御するためのマイクロプロセッサ／組み込みシステム（図示せず）とを備える。制御装置１００はまた好ましくは、パワーパック（ＡＣ−ＤＣ変換器またはＣ電池）、自動スイッチ機構、インジケータ手段等（図示せず）を含む。制御装置１００は容器カップ２０とは別個の装置であってもよく、それらはケーブルまたは噛合するソケット機構で互いに連結されてもよい。あるいは、制御装置１００は、底面パネル２２の一体部分として容器カップ２０に永久的に組み込まれていてもよい。
【００５５】
容器カップ２０は好ましくは一体の部品であり、例えば、ポリスチレン、ポリプロピレン、ポリエチレン、ＡＢＳおよび／または他のプラスチックもしくはポリマー構造材料で射出成形または他の製造方法等により一体成形される。容器カップ２０はその外面の上縁部２６に近接したところに第１の螺旋ねじ山形状３０を備える。第１のねじ山３０は任意選択的に、後述するように、使用中に容器から排気されるガスのための排出チャネルを提供する１つ以上の無ねじセグメント３２により分割されている。無ねじセグメント３２は好ましくは、容器カップの縁部２６からカップのねじ部全体を通って略直線状に延び、キャップがカップ上に組み立てられているとき、容器からそれを通る加圧ガスの自由排出流の通路を提供するガス排気チャネルを画定する。円周状のカップフランジ３４は、ねじ山形状３０の下の側壁２４の外面から外側に横方向に延びる。
【００５６】
キャップ５０は、略円形の上パネル５２と、上パネルから下方に横方向に延びる円周状のカラー５４とを備える。カラー５４の内径は容器カップ２０の外径を受け入れ、好ましくは隙間嵌めまたは自由流通嵌め（ｆｒｅｅ  ｒｕｎｎｉｎｇ  ｆｉｔ）するように構成されている。カラー５４の内面は、キャップ５０が容器カップ上に螺嵌されるとき、容器カップ２０の第１のねじ山形状３０と係合し、部品を一体にそれらが組み立てられた状態に保持する第２の螺旋ねじ山形状５６を備える。第２のねじ山５６は任意選択的に１つ以上の無ねじセグメントにより分割されており、使用中に容器から排気されるガスの排出チャネルを提供する。また、好ましくは、螺合界面を通したガス排出が可能となるように第１のねじ山形状と第２のねじ山形状との間に十分な間隔または遊びが設けられる。カラー５４は任意選択的に、使用者の把持を改善するために、その外周に沿って丸みのある多角形の形状を形成する１つ以上の平坦部を備える。キャップ５０は好ましくは、例えば、ポリプロピレン、ポリエチレン、ポリスチレン、ＡＢＳおよび／または他のプラスチックもしくはポリマー構造材料で、射出成形または他の製造方法等により一体成形される一体の部品である。
【００５７】
連結ハブ６２はキャップ５０の上パネル５２の内面の中心から下方に突出し、レンズホルダ９０の協働する保持フィンガーを受け入れるための中心受入部を画定する。弾性キャップ封止フランジまたはリップ４６はキャップ５０の上パネル５２の内面から下方に突出する。リップ４６は上パネル５２の内面の外周に近接して延び、カラー５４のねじ山が螺刻された内面から内側に、容器カップ２０の側壁２４の壁厚に略相当する距離、間隔を空けて配置されている連続的な円形の形状を有する。このようにして、キャップ５０が容器カップ２０上に取り付けられるとき、リップ４６の外面は容器カップの内面とその縁部２６に沿って当接し、キャップが変形していない状態で連続的な液密シールを形成する。リップ４６の外面は任意選択的に僅かな内向きのテーパが設けられ、縁部２６の上面と容器カップの内面との交差により形成される端縁で環状のシール点接触を提供する。リップ４６は好ましくは、複雑さを最小限に抑えてカップとキャップとの間に封止および排気界面が形成されるように、別個の部品ではなくキャップ５０の一体部分となっている。このようにして、容器カップとキャップとの間にシールを形成するのに、別個のワッシャまたは封止部品を必要としない。代替の実施形態では、封止界面は、キャップおよび／またはカップに取り付けられる別個の封止部品および／または排気部品を備える。
【００５８】
容器カップ２０の縁部２６がキャップの上パネルの内面に当接封止して容器からガスが排出されることを防止するような程度までキャップ５０が締まることを防止するために、間隔を空けて配列された干渉リブ（図示せず）が任意選択的にリップ４６とカラー５４の内面との間に上パネル５２の内面に沿って設けられる。あるいは、キャップのリップとカラーの内面との間の上パネルの内面に１つ以上の凹部を形成し、ガス排出を可能にすることができる。キャップの上パネルの内面の干渉リブが容器カップ２０の縁部２６に当接して着座すると、容器を閉鎖したときの容器カップに対するキャップの位置が規定され、この着座位置は、縁部キャップの封止リップ４６のテーパ状接触面とそれに当接する容器カップのとの間に指定された干渉度または圧縮度が得られるように調整される。例えば、キャップの封止リップと容器カップの縁部との間に約２５μｍ〜５０μｍの封止干渉が得られるように封止リップ４６の直径と干渉リブの高さを制御すると、好適な解放可能な封止界面を得ることができる。
【００５９】
キャップ５０の上パネル５２は、その上面または外面に形成された環状のチャネルまたは環形の凹部もしくは窪み８０を有する。このチャネル８０により、上パネル５２の周囲の材料厚みが小さくなった円形部分またはウェブ８２が得られる。上パネル５２の外面の厚みが小さくなった部分８２の外周は、上パネルの内面の封止リップ４６の位置と略位置合わせされており、その反対側にある。キャップ５０の構成材料ならびにこの部分８２の厚みおよび位置は、容器内の閾値圧力に応じた上パネルの湾曲度を可能にする上パネル５２構成が得られるように一緒に規定される。例えば、キャップ５０はＨｕｎｔｓｍａｎ／ＦＨＲ  Ｐ５Ｍ６Ｋ−０４８ポリマーなどのポリプロピレンを含んでもよく、材料厚みが小さくなったウェブ８２の厚みは約０．７５ｍｍ〜１．７５ｍｍ、例えば、約１．２５ｍｍであり、直径スパンは約２０ｍｍ〜３０ｍｍ、例えば、約２５ｍｍである。例えば、１平方インチ当たり１〜８ポンド（ｐｓｉ）の閾値圧力に達すると、上パネルは、その変形していない状態（図２Ｂに実線で示す）から変形した状態（図２Ｂに破線で示す）に変形または外側に膨出し、それによりリップ４６が内側に傾斜して容器カップの縁部２６と接触しなくなる。カップ２０および取り付けられたキャップ５０により画定される収容容積内の加圧ガスは、カップとキャップとの螺合界面を通して、および／または存在する場合、容器カップとキャップとの間の螺合の無ねじセグメント３２により形成されるガス排気チャネルを通して逃げるまたは排気することができる。別個の封止部品またはワッシャ部品が容器カップとキャップとの間に介在しないため、放出されたガスは中間の封止チャンバまたは空隙を通過することなくキャップと容器カップとの間に直接排出する。過剰なガスの放出により、収容容積内の圧力が低下して閾値圧力未満に戻り、上パネルはキャップ材料の弾性または形状記憶により付勢された非変形状態に戻る。洗浄および消毒プロセス中、ガス発生が続くことにより、圧力の増加と、過剰なガスを放出する排気または「ガス抜き（ｂｕｒｐｉｎｇ）」との間欠的なシーケンスまたはサイクルが起こり得る。キャップ５０の弾性により、過剰なガスの排気時以外、キャップ５０の円形のリップ４６が容器カップ２０の縁部２６と封止接触した状態に維持され、それにより容器からの液体の漏出が防止される。代替の実施形態では、キャップの上パネルは、湾曲または変形の制御と、過剰な内部圧力の放出とを可能にする他の様々な構成を含む。例えば、凹状部分が上パネルの内面および／または外面に形成されてもよく、様々な湾曲度を有する複数のリブが上パネル上に形成されてもよく、および／または一連の階段状の凹みまたは環が上パネル上に形成されてもよい。
【００６０】
レンズホルダ９０は図２Ｃにその開放状態で、図２Ａにその閉鎖状態で詳細に示されている。レンズホルダは、第１および第２のレンズバスケットパネル９４ａ、９４ｂが材料厚みの小さくなったウェブにより形成された一体の蝶番、即ち一体蝶番により取り付けられている本体パネル９２を備える。相互係合クリップまたは閉鎖部材９６ａ、９６ｂは、レンズバスケットパネルを閉鎖状態に保持し、レンズの挿入およびバスケットからの取り出しが可能になるように指圧で解放するように設けられている。基部９８は本体パネル９２の下端から延び、保持フィンガー１００は本体パネルの上端から延びる。基部９８および保持フィンガー１００は任意選択的に安定性のために十字形の形状を画定する。保持フィンガー１００は、キャップ５０の連結ハブ６２の受入部内に締まり嵌めまたは隙間嵌めするように構成された外周を有する。バスケットパネル９４は、レンズケア溶液が流通することを可能にする複数のスロットまたは開口部１０２が穿設されている。
【００６１】
使用時、容器１０は、容器カップ２０からキャップ５０を回して緩めることにより開放される。過酸化水素系レンズケア溶液などの液体は、所望の充填レベルまで容器カップに分注される。１つ以上のコンタクトレンズをレンズホルダ９０の本体パネルとバスケットパネルとの間に入れて、バスケットパネルを閉鎖し、留める。レンズホルダの保持フィンガーをキャップのハブの受入部に挿入する。レンズホルダとレンズとを容器カップに挿入し、レンズケア溶液に浸漬する。キャップを容器カップ上に螺嵌して容器を閉鎖し、液体の漏洩を防止するためにキャップの封止リップを容器カップの縁部との封止界面に至らしめ、制御装置を始動させる。洗浄および消毒プロセスが進行するにつれ、レンズケア溶液中の過酸化水素（Ｈ２Ｏ２）が液体の水（Ｈ２Ｏ）と酸素ガス（Ｏ２）とに分解される。放出された酸素ガスにより、外気に対してシステムの収容容積内に正の差圧が生じる。この内部圧力が閾値圧力に達するとキャップの上パネルが湾曲または変形し、キャップのリップと容器カップの縁部との間の封止界面を係脱させる。過剰なガスはキャップリップとカップ縁部との間で、干渉リブ間のカップ縁部を越え、第１のねじ山形状と第２のねじ山形状との間の螺合界面を通り、および／または分割されたねじ山の無ねじセグメントを通り放出される。ガスが放出されるにつれ、圧力が閾値圧力未満に低下し、キャップが湾曲してその非変形状態に戻り、漏洩が起こらないようにキャップリップとカップ縁部を封止する。洗浄および消毒プロセスが完了するまで、圧力増加と放出のシーケンスが続く。
【００６２】
コンタクトレンズを過酸化水素系レンズケア溶液に、コンタクトレンズを消毒するのに十分な所定の浸漬時間（好ましくは少なくとも約１時間、より好ましくは約２時間〜約６時間、さらにより好ましくは約３時間〜約５時間）にわたり浸漬した後、制御装置は電源を投入し、電極対に電位を印加し、過酸化水素の電気化学的中和プロセスを開始する。制御装置は過酸化水素の濃度を２０ｐｐｍ未満（好ましくは約１０ｐｐｍ以下、より好ましくは約５ｐｐｍ以下、さらにより好ましくは約１ｐｐｍ以下）に低減するのに十分な所望の時間後、電源を遮断する。
【００６３】
過酸化水素を中和した後、レンズを容器内に保存し続けてよく、またはキャップを回して緩めることにより容器カップから取り出してもよい。装置は好ましくは再使用可能であり、使用したレンズケア溶液は廃棄し、プロセスを繰り返すことができる。
【００６４】
別の態様では、本発明は、コンタクトレンズを消毒および洗浄するためのレンズケア装置であって、過酸化水素系レンズケア溶液であって、約６〜約８（好ましくは約６．５〜約７．５、より好ましくは約６．８〜約７．２）のｐＨを有し、および約０．３０重量％〜約１．４重量％（好ましくは約０．５重量％〜約１．２重量％、より好ましくは約１．０重量％〜）の１種以上の塩化物塩（例えば、塩化ナトリウム、塩化カリウム、またはその両方）を含み、かつ既知の任意の方法による溶液の２５℃での浸透圧重量モル濃度により測定した場合に約１５０〜約４００ｍＯｓｍ／ｋｇ（好ましくは約２００〜約３５０ｍＯｓｍ／ｋｇ、より好ましくは約２５０〜約３５０ｍＯｓｍ／ｋｇ）の張度を有する、過酸化水素系レンズケア溶液を保持するための容器と；過酸化水素系レンズケア溶液中の過酸化水素を電気化学的に中和するための１対の電極であって、１つのカソードと、１つのアノードであって、塩化物イオンが電極に接近して塩素および／または次亜塩素酸塩を生成することを防止し、かつΔｐＨとして示される電解により誘導されたｐＨの変化が確実に約１．０以下（好ましくは約０．５以下）となるように、その上にイオン選択膜（ＩＳＭ）を有する１つのアノードとからなり、ΔｐＨ＝│ｐＨｏ−ｐＨｆ│（式中、ｐＨｏはレンズケア溶液の初期ｐＨであり、およびｐＨｆは過酸化水素を電気化学的に中和した後のレンズケア溶液の最終ｐＨである）である、１対の電極と；最適な消毒および洗浄効果が得られるように、電極の電極極性および電位ならびに過酸化水素を電気化学的に中和するタイミングおよび持続時間を自動的に制御するために電極と電源とに操作可能に接続される制御装置とを備え、容器が、縁部によって囲まれた開口部を通してアクセス可能な内部チャンバを画定し、かつ過酸化水素系レンズケア溶液を受け入れるための容器カップと、開口部を覆うために容器カップ上に取り外し可能に取り付けられるキャップと、容器カップ内の過酸化水素系レンズケア溶液に浸漬されるコンタクトレンズを保持するためのレンズホルダとを備え、電極が内部チャンバ内に配置され、かつ使用時に過酸化水素系レンズケア溶液に浸漬される、レンズケア装置に関する。好ましくは、制御装置はまた、パワーパック（ＡＣ−ＤＣ変換器または電池を有する）、自動スイッチ機構、インジケータ手段、またはこれらの組み合わせを含む。
【００６５】
他の態様では、本発明は、前述の本発明のレンズケア装置と、約０．５重量％〜約６重量％（好ましくは約２重量％〜約６重量％、より好ましくは約３重量％〜約４重量％）の過酸化水素を含むことを含むレンズケア水溶液とを含む、レンズケアキットを提供する。
【００６６】
特定の用語、デバイス、および方法を用いて本発明の様々な実施形態について説明してきたが、このような説明は例示の目的で記載しているに過ぎない。使用する用語は、限定の用語ではなく説明の用語である。以下の特許請求の範囲に記載する本発明の趣旨および範囲から逸脱することなく、当業者は変更形態および変形形態をなし得ることを理解されたい。さらに、様々な実施形態の態様は、後述のように、全部または一部互換することができ、または任意の方法で組み合わせるおよび／または一緒に使用し得ることを理解されたい：
１．消毒の完了時に目に直接挿入するのに好適なコンタクトレンズを消毒および洗浄するための方法であって：
（１）コンタクトレンズを、約０．５重量％〜約６重量％の過酸化水素を含むレンズケア水溶液に、コンタクトレンズを消毒するのに十分な所定の浸漬時間にわたり浸漬する工程であって、レンズケア水溶液は約０．３０重量％〜約１．４重量％の１種以上の塩化物塩（例えば、塩化ナトリウム、塩化カリウム、またはその両方）を含み、および約６〜約８のｐＨと、既知の任意の方法による溶液の２５℃での浸透圧重量モル濃度により測定した場合に約１５０〜約４００ｍＯｓｍ／ｋｇの張度とを有する、工程と；
（２）所定の浸漬時間後、塩素および／または次亜塩素酸塩を電解生成することなく、過酸化水素の濃度を２０ｐｐｍ未満に低減するために、コンタクトレンズをレンズケア水溶液中に浸漬した状態で、レンズケア水溶液中の前記過酸化水素を電気化学的に中和する工程であって、塩化物イオンが電極に接近して塩素および／または次亜塩素酸塩を生成することを防止するために、アノードであって、その上にイオン選択膜（ＩＳＭ）を有するアノードを使用することにより行われ、ΔｐＨとして示されるｐＨの変化が約１．０以下（好ましくは約０．５以下）となり、ΔｐＨ＝│ｐＨｏ−ｐＨｆ│（式中、ｐＨｏはレンズケア溶液の初期ｐＨであり、およびｐＨｆは過酸化水素を電気化学的に中和した後のレンズケア溶液の最終ｐＨである）である、工程と
を含む方法。
【００６７】
２．レンズケア水溶液が約２重量％〜約６重量％（好ましくは約３重量％〜約４重量％）の過酸化水素を含む、実施形態１に記載の方法。
【００６８】
３．所定の浸漬時間が少なくとも約１時間（好ましくは約２時間〜約６時間、より好ましくは約３時間〜約５時間）である、実施形態１または２に記載の方法。
【００６９】
４．レンズケア水溶液が約０．５重量％〜約１．２重量％（好ましくは約０．８重量％〜約１．０重量％）の１種以上の塩化物塩（例えば、塩化ナトリウム、塩化カリウム、またはその両方）を含む、実施形態１、２または３に記載の方法。
【００７０】
５．レンズケア水溶液が、約６．５〜約７．５（好ましくは約６．８〜約７．２）のｐＨを有する、実施形態１〜４のいずれか１つに記載の方法。
【００７１】
６．レンズケア水溶液は、既知の任意の方法による溶液の２５℃での浸透圧重量モル濃度により測定した場合に約２００〜約３５０ｍＯｓｍ／ｋｇ（好ましくは約２５０〜約３５０ｍＯｓｍ／ｋｇ）の張度を有する、実施形態１〜５のいずれか１つに記載の方法。
【００７２】
７．塩素および／または次亜塩素酸塩を電解生成することなく、レンズケア水溶液中の過酸化水素の濃度が約１０ｐｐｍ以下（好ましくは約５ｐｐｍ以下、より好ましくは約１ｐｐｍ以下）に電気化学的に低減される、実施形態１〜６のいずれか１つに記載の方法。
【００７３】
８．ΔｐＨが約０．５以下である、実施形態１〜７のいずれか１つに記載の方法。
【００７４】
９．アノードとカソードとの間のプロトンの移動を促進するために、アノードとカソードとがＩＳＭにより分離されている、実施形態１〜８のいずれか１つに記載の方法。
【００７５】
１０．レンズケア水溶液の量が約５ｍｌ〜約１５ｍｌ（好ましくは７．５ｍｌ〜約１２．５ｍｌ、より好ましくは約９ｍｌ〜約１１ｍｌ）の範囲である、実施形態１〜９のいずれか１つに記載の方法。
【００７６】
１１．レンズケア水溶液が、ポリオキシプロピレン−ポリオキシエチレン−ポリオキシプロピレンブロックコポリマー、ポリ（オキシエチレン）−ポリ（オキシブチレン）ブロックコポリマー、ポリ（オキシエチレン）−ポリ（オキシブチレン）ジブロックコポリマー、ポリ（オキシエチレン）−ポリ（オキシブチレン）−ポリ（オキシエチレン）トリブロックコポリマー、ポリ（オキシブチレン）−ポリ（オキシエチレン）−ポリ（オキシブチレン）トリブロックコポリマー、ビニルピロリドンのホモポリマー、ビニルピロリドンと８〜１５個の炭素原子を有する少なくとも１種のアミノ含有ビニルモノマーとのコポリマーからなる群から選択される少なくとも１種の要素をさらに含む、実施形態１〜１０のいずれか１つに記載の方法。
【００７７】
１２．レンズケア水溶液中の前記過酸化水素を電気化学的に中和する工程が、過酸化水素系レンズケア溶液を保持するための容器と；過酸化水素系レンズケア溶液中の過酸化水素を電気化学的に中和するための１対の電極と；最適な消毒および洗浄効果が得られるように、電極の電極極性および電位ならびに過酸化水素を電気化学的に中和するタイミングおよび持続時間を自動的に制御するために電極と電源とに操作可能に接続される制御装置とを備えるレンズケア装置内で行われ、容器が、縁部によって囲まれた開口部を通してアクセス可能な内部チャンバを画定し、かつ過酸化水素系レンズケア溶液を受け入れるための容器カップと、開口部を覆うために容器カップ上に取り外し可能に取り付けられるキャップと、容器カップ内の過酸化水素系レンズケア溶液に浸漬されるコンタクトレンズを保持するためのレンズホルダとを備え、電極が内部チャンバ内に配置され、かつ使用時に過酸化水素系レンズケア溶液に浸漬される、実施形態１〜１１のいずれか１つに記載の方法。
【００７８】
１３．レンズホルダが、消毒および洗浄されるコンタクトレンズを受け入れるために開放し、かつ処理中にレンズを保持するために閉鎖する１つ以上の閉鎖可能なバスケットを備え、電極は、塩化物イオンが電極に接近して塩素および次亜塩素酸塩を含む望ましくない電解生成物を生成することを防止するために、その上にイオン選択膜（ＩＳＭ）を備え、および／または制御装置は、電極を電源と操作可能に接続するための手段と、電極の電極極性および電位ならびに電気化学的中和プロセスのタイミングおよび持続時間を自動的に制御するためのマイクロプロセッサ／組み込みシステムとを備える、実施形態１２に記載の方法。
【００７９】
１４．制御装置がパワーパック（ＡＣ−ＤＣ変換器またはＤＣ電池）、自動スイッチ機構、インジケータ手段、またはこれらの組み合わせも含む、実施形態１２または１３に記載の方法。
【００８０】
１５．コンタクトレンズを消毒および洗浄するためのレンズケア装置であって、過酸化水素系レンズケア溶液であって、約６〜約８（好ましくは約６．５〜約７．５、より好ましくは約６．８〜約７．２）のｐＨを有し、および約０．３０重量％〜約１．４重量％（好ましくは約０．５重量％〜約１．２重量％、より好ましくは約０．８重量％〜約１．０重量％）の１種以上の塩化物塩（例えば、塩化ナトリウム、塩化カリウム、またはその両方）を含み、かつ溶液の２５℃での浸透圧重量モル濃度により測定した場合に約１５０〜約４００ｍＯｓｍ／ｋｇ（好ましくは約２００〜約３５０ｍＯｓｍ／ｋｇ、より好ましくは約２５０〜約３５０ｍＯｓｍ／ｋｇ）の張度を有する、過酸化水素系レンズケア溶液を保持するための容器と；
過酸化水素系レンズケア溶液中の過酸化水素を電気化学的に中和するための１対の電極であって、１つのカソードと、１つのアノードであって、塩化物イオンが電極に接近して塩素および／または次亜塩素酸塩を生成することを防止し、かつΔｐＨとして示される電解により誘導されたｐＨの変化が確実に約１．０以下（好ましくは約０．５以下）となるように、その上にイオン選択膜（ＩＳＭ）を有する１つのアノードとからなり、ΔｐＨ＝│ｐＨｏ−ｐＨｆ│（式中、ｐＨｏはレンズケア溶液の初期ｐＨであり、およびｐＨｆは過酸化水素を電気化学的に中和した後のレンズケア溶液の最終ｐＨである）である、１対の電極と；
最適な消毒および洗浄効果が得られるように、電極の電極極性および電位ならびに過酸化水素を電気化学的に中和するタイミングおよび持続時間を自動的に制御するために電極と電源とに操作可能に接続される制御装置と
を備え、
容器が、縁部によって囲まれた開口部を通してアクセス可能な内部チャンバを画定し、かつ過酸化水素系レンズケア溶液を受け入れるための容器カップと、開口部を覆うために容器カップ上に取り外し可能に取り付けられるキャップと、容器カップ内の過酸化水素系レンズケア溶液に浸漬されるコンタクトレンズを保持するためのレンズホルダとを備え、電極が内部チャンバ内に配置され、かつ使用時に過酸化水素系レンズケア溶液に浸漬される、レンズケア装置。
【００８１】
１６．過酸化水素系レンズケア溶液が、約６．５〜約７．５（好ましくは約６．８〜約７．２）のｐＨと、溶液の２５℃での浸透圧重量モル濃度により測定した場合に約２００〜約３５０ｍＯｓｍ／ｋｇ（好ましくは約２５０〜約３５０ｍＯｓｍ／ｋｇ）の張度とを有する、実施形態１５に記載のレンズケア装置。
【００８２】
１７．過酸化水素系レンズケア溶液が約０．５重量％〜約１．２重量％（好ましくは約０．８重量％〜約１．０重量％）の１種以上の塩化物塩（例えば、塩化ナトリウム、塩化カリウム、またはその両方）を含む、実施形態１５または１６に記載のレンズケア装置。
【００８３】
１８．レンズホルダが、消毒および洗浄されるコンタクトレンズを受け入れるために開放し、かつ処理中にレンズを保持するために閉鎖する１つ以上の閉鎖可能なバスケットを備える、実施形態１５〜１７のいずれか１つに記載のレンズケア装置。
【００８４】
１９．制御装置が、電極を電源と操作可能に接続するための手段と、電極の電極極性および電位ならびに電気化学的中和プロセスのタイミングおよび持続時間を自動的に制御するためのマイクロプロセッサ／組み込みシステムとを備える、実施形態１５〜１８のいずれか１つに記載のレンズケア装置。
【００８５】
２０．制御装置がパワーパック（ＡＣ−ＤＣ変換器またはＤＣ電池）、自動スイッチ機構、インジケータ手段、またはこれらの組み合わせを備える、実施形態１５〜１９のいずれか１つに記載のレンズケア装置。
【００８６】
前記開示は当業者が本発明を実施することを可能にする。読者が特定の実施形態およびその利点をより十分理解できるように、以下の非限定的な例を参照することが提案される。しかし、以下の実施例は本発明の範囲を限定するものと読解されるべきではない。
【実施例】
【００８７】
実施例１
過酸化水素３０ｐｐｍを一般的な緩衝剤系（０．５％ホウ酸、０．０５％ホウ酸ナトリウム１０水和物、０．９％酢酸ナトリウム）に溶解し、過酸化物ストリップで確認した。１対の白金線を溶液に浸漬した。４Ｖの電位を印加し、過酸化物ストリップを用いて過酸化物レベルを監視した。１０ｍＡで３０分後、おおよその過酸化物レベルは約２ｐｐｍであった。計算により、１０ｍｌの３％過酸化水素溶液（ＣｌｅａｒＣａｒｅ中に通常存在する）を低減する反応として、過酸化物は１５０ｍＡを４時間印加することにより目に対して安全な状態（＜１０ｐｐｍ）に低減することができる。
【図１】
0006313867.tif 000002
【図２】
0006313867.tif 000003
【図３】
0006313867.tif 000004